(57)【要約】【課題】この発明は、ＨＤＭＩ規格に準拠したデジタル伝送システムにおいて、音声受信時における不快音の発生を防止するようにした映像信号受信装置及び映像信号受信方法を提供することを目的としている。【解決手段】コネクタ１９を介して受信されたＨＤＭＩ規格に準拠した信号から映像成分と音声成分とを分離し、それぞれにデコード処理を施してアナログの映像及び音声信号を復元する信号処理手段２０ａ，２０ｂ，２０ｃと、受信信号に変化が生じたことを検出して第１の検出信号を発生する第１の検出手段２０ａと、受信された接続認識信号に変化が生じたことを検出して第２の検出信号を発生する第２の検出手段２０ｅと、第１または第２の検出信号の発生に応じて、信号処理手段２０ａ，２０ｂ，２０ｃに対して音声信号を出力させないようにミュート処理を施すミュート制御手段２０ｄとを備える。【選択図】    図３
2005323182.tif 000002
【特許請求の範囲】
【請求項１】
ＨＤＭＩ規格に準拠したデジタル伝送バスが接続されるＨＤＭＩコネクタと、
前記ＨＤＭＩコネクタを介して受信されたデジタル信号から映像成分と音声成分とを分離するＨＤＭＩレシーバと、
前記ＨＤＭＩレシーバで分離された映像信号と音声信号とにそれぞれデコード処理を施して、アナログの映像信号と音声信号とを復元する信号処理手段と、
前記ＨＤＭＩコネクタを介して受信されたデジタル信号に、予め設定されたデータに対して変化が生じたことを検出して第１の検出信号を発生する第１の検出手段と、
前記ＨＤＭＩコネクタを介して受信された接続認識信号に変化が生じたことを検出して第２の検出信号を発生する第２の検出手段と、
前記第１の検出信号または前記第２の検出信号の発生に応じて、前記信号処理手段に対して前記音声信号を出力させないようにミュート処理を施すミュート制御手段とを具備したことを特徴とする映像信号受信装置。
【請求項２】
前記ミュート制御手段は、前記第１及び第２の検出手段が前記第１及び第２の検出信号の発生を共に停止したことに応じて、前記信号処理手段に対するミュート処理を解除することを特徴とする請求項１記載の映像信号受信装置。
【請求項３】
前記第１の検出手段は、前記ＨＤＭＩコネクタを介して受信されたデジタル信号が、レジスタに設定可能な状態でない場合に、前記第１の検出信号を発生することを特徴とする請求項１記載の映像信号受信装置。
【請求項４】
前記第２の検出手段は、前記ＨＤＭＩコネクタを介して受信された接続認識信号の電圧レベルが変化した場合に、前記第２の検出信号を発生することを特徴とする請求項１記載の映像信号受信装置。
【請求項５】
前記信号処理手段は、
前記ＨＤＭＩレシーバで分離された映像信号と音声信号とにそれぞれデコード処理を施して、アナログの映像信号と音声信号とを復元する復元手段と、
前記復元手段で復元されたアナログの映像信号と音声信号とを出力する出力手段とを具備することを特徴とする請求項１記載の映像信号受信装置。
【請求項６】
前記ミュート制御部は、前記復元手段と前記出力手段とに対して、それぞれ前記音声信号を出力させないようにミュート処理を施すことを特徴とする請求項５記載の映像信号受信装置。
【請求項７】
所定期間にデジタル音声信号が多重化されたデジタル信号と接続認識信号とを伝送する伝送バスが接続されるコネクタと、
前記コネクタを介して受信されたデジタル信号から映像成分と音声成分とを分離する分離手段と、
前記分離手段で分離された映像信号と音声信号とにそれぞれデコード処理を施して、アナログの映像信号と音声信号とを復元する信号処理手段と、
前記コネクタを介して受信されたデジタル信号に、予め設定されたデータに対して変化が生じたことを検出して第１の検出信号を発生する第１の検出手段と、
前記コネクタを介して受信された接続認識信号に変化が生じたことを検出して第２の検出信号を発生する第２の検出手段と、
前記第１の検出信号または前記第２の検出信号の発生に応じて、前記信号処理手段に対して前記音声信号を出力させないようにミュート処理を施すミュート制御手段とを具備したことを特徴とする映像信号受信装置。
【請求項８】
テレビジョン放送信号を受信する受信手段と、
前記受信手段で受信されたテレビジョン放送信号から所定のチャンネルの信号を選局して、アナログの映像信号と音声信号とを復元する第１の信号処理手段と、
ＨＤＭＩ規格に準拠したデジタル伝送バスが接続されるＨＤＭＩコネクタと、
前記ＨＤＭＩコネクタを介して受信されたデジタル信号から映像成分と音声成分とを分離するＨＤＭＩレシーバと、
前記ＨＤＭＩレシーバで分離された映像信号と音声信号とにそれぞれデコード処理を施して、アナログの映像信号と音声信号とを復元する第２の信号処理手段と、
前記ＨＤＭＩコネクタを介して受信されたデジタル信号に、予め設定されたデータに対して変化が生じたことを検出して第１の検出信号を発生する第１の検出手段と、
前記ＨＤＭＩコネクタを介して受信された接続認識信号に変化が生じたことを検出して第２の検出信号を発生する第２の検出手段と、
前記第１の検出信号または前記第２の検出信号の発生に応じて、前記第２の信号処理手段に対して前記音声信号を出力させないようにミュート処理を施すとともに、前記第１及び第２の検出手段が前記第１及び第２の検出信号の発生を共に停止したことに応じて、前記第２の信号処理手段に対するミュート処理を解除するミュート制御手段と、
前記第１の信号処理手段で復元されたアナログの映像信号及び音声信号と、前記第２の信号処理手段で復元されたアナログの映像信号及び音声信号とを、選択的に切り替えて出力する選択手段とを具備したことを特徴とする映像信号受信装置。
【請求項９】
ＨＤＭＩ規格に準拠したデジタル伝送バスが接続されるＨＤＭＩコネクタを介して受信されたデジタル信号から映像成分と音声成分とを分離する工程と、
分離された映像信号と音声信号とにそれぞれデコード処理を施して、アナログの映像信号と音声信号とを復元する工程と、
前記ＨＤＭＩコネクタを介して受信されたデジタル信号に、予め設定されたデータに対して変化が生じたことを検出して第１の検出信号を発生する工程と、
前記ＨＤＭＩコネクタを介して受信された接続認識信号に変化が生じたことを検出して第２の検出信号を発生する工程と、
前記第１の検出信号または前記第２の検出信号の発生に応じて、復元された前記音声信号を出力させないようにミュート処理を施す工程とを具備したことを特徴とする映像信号受信方法。
【請求項１０】
前記第１及び第２の検出信号の発生が共に停止されたことに応じて、復元された前記音声信号に対するミュート処理を解除することを特徴とする請求項９記載の映像信号受信方法。
【請求項１１】
前記ＨＤＭＩコネクタを介して受信されたデジタル信号が、レジスタに設定可能な状態でない場合に、前記第１の検出信号を発生することを特徴とする請求項９記載の映像信号受信方法。
【請求項１２】
前記ＨＤＭＩコネクタを介して受信された接続認識信号の電圧レベルが変化した場合に、前記第２の検出信号を発生することを特徴とする請求項９記載の映像信号受信方法。
【発明の詳細な説明】
【技術分野】
【０００１】
この発明は、所定期間にデジタル音声信号が多重化されたデジタル映像信号を伝送する規格化されたデジタル伝送システムに係り、特にその伝送されたデジタル映像信号を受信しデジタル音声信号に対して特定の制御を施す映像信号受信装置及び映像信号受信方法に関する。
【背景技術】
【０００２】
周知のように、デジタル映像信号を伝送するための規格として、ＤＶＩ（Digital Visual Interface）規格が普及している。そして、近年では、このＤＶＩ規格をさらに改良したデジタル信号伝送規格として、ＨＤＭＩ（High Definition Multimedia Interface）規格が採用されるようになってきている。
【０００３】
このＨＤＭＩ規格には、例えば、デジタル映像信号のブランキング期間にデジタル音声信号を多重化して音声伝送を行なうことが可能であること、デジタル映像信号をＲ，Ｇ，Ｂ形式の他に色差ＹＣｂＣｒ形式で伝送することが可能であること、ＵＳＢ（Universal Serial Bus）ライクの小型のＨＤＭＩコネクタで接続することが可能であること等々、ＤＶＩ規格にない種々の規定が盛り込まれている。
【０００４】
このため、このＨＤＭＩ規格に準拠してデジタル伝送システムを構築する際には、ＤＶＩ規格に準拠する伝送システムにはなかった様々な点を考慮する必要が生じる。例えば、ＨＤＭＩ規格では音声伝送が可能であるため、音声受信中にＨＤＭＩコネクタが抜き差しされたり、音声信号が大きく変化したりすると、ボツ音等の不快音が発生するという問題が生じる。
【０００５】
特許文献１には、音声データの不連続、並びにデータ処理のデジタル的な切り換えによるブツ音の発生を抑圧する構成が開示されている。また、特許文献２には、ＤＶＩ規格に準拠したシステムで、シンクデバイス側からソースデバイス側を制御するようにした構成が開示されている。しかしながら、これら特許文献１，２には、いずれも、ＨＤＭＩ規格に準拠したデジタル伝送システムにおいて、受信側における不快音の発生に対処することについては、何らの記載もなされていないものである。
【特許文献１】特開平７−２３６１０１号公報
【特許文献２】特開２００２−３１４９７０号公報
【発明の開示】
【発明が解決しようとする課題】
【０００６】
そこで、この発明は上記事情を考慮してなされたもので、ＨＤＭＩ規格に準拠したデジタル伝送システムにおいて、音声受信時における不快音の発生を防止するようにした映像信号受信装置及び映像信号受信方法を提供することを目的とする。
【課題を解決するための手段】
【０００７】
この発明に係る映像信号受信装置は、ＨＤＭＩ規格に準拠したデジタル伝送バスが接続されるＨＤＭＩコネクタと、ＨＤＭＩコネクタを介して受信されたデジタル信号から映像成分と音声成分とを分離するＨＤＭＩレシーバと、ＨＤＭＩレシーバで分離された映像信号と音声信号とにそれぞれデコード処理を施して、アナログの映像信号と音声信号とを復元する信号処理手段と、ＨＤＭＩコネクタを介して受信されたデジタル信号に、予め設定されたデータに対して変化が生じたことを検出して第１の検出信号を発生する第１の検出手段と、ＨＤＭＩコネクタを介して受信された接続認識信号に変化が生じたことを検出して第２の検出信号を発生する第２の検出手段と、第１の検出信号または第２の検出信号の発生に応じて、信号処理手段に対して音声信号を出力させないようにミュート処理を施すミュート制御手段とを備えるようにしたものである。
【０００８】
また、この発明に係る映像信号受信方法は、ＨＤＭＩ規格に準拠したデジタル伝送バスが接続されるＨＤＭＩコネクタを介して受信されたデジタル信号から映像成分と音声成分とを分離する工程と、分離された映像信号と音声信号とにそれぞれデコード処理を施して、アナログの映像信号と音声信号とを復元する工程と、ＨＤＭＩコネクタを介して受信されたデジタル信号に、予め設定されたデータに対して変化が生じたことを検出して第１の検出信号を発生する工程と、ＨＤＭＩコネクタを介して受信された接続認識信号に変化が生じたことを検出して第２の検出信号を発生する工程と、第１の検出信号または第２の検出信号の発生に応じて、復元された音声信号を出力させないようにミュート処理を施す工程とを備えるようにしたものである。
【発明の効果】
【０００９】
上記した発明によれば、ＨＤＭＩコネクタを介して受信されたデジタル信号に、予め設定されたデータに対して変化が生じた場合、または、ＨＤＭＩコネクタを介して受信された接続認識信号に変化が生じた場合に、音声信号にミュート処理を施すようにしたので、ＨＤＭＩ規格に準拠したデジタル伝送システムにおいて、音声受信時における不快音の発生を実用的なレベルで防止することが可能となる。
【発明を実施するための最良の形態】
【００１０】
以下、この発明の実施の形態について図面を参照して詳細に説明する。図１は、この実施の形態で説明する映像信号受信装置１１を示している。この映像信号受信装置１１は、テレビジョン放送信号を受信する機能と、アナログ映像及び音声信号を受信する機能と、ＨＤＭＩ規格に準拠したデジタル映像信号を受信する機能とを有している。
【００１１】
すなわち、テレビジョン放送信号は、アンテナ１２で受信され、ＴＶ（television）入力端子１３を介してテレビジョン信号処理部１４に供給される。このテレビジョン信号処理部１４は、入力されたテレビジョン放送信号からチューナ部１４ａにより所定のチャンネルの信号を取り出し、信号処理部１４ｂによりアナログの映像信号と音声信号とを復元して、セレクタ１５に出力している。
【００１２】
また、アナログ映像及び音声信号は、ＡＶ（Audio Video）入力端子１６で受信され、そのまま、セレクタ１５に入力される。
【００１３】
さらに、外部機器１７からＨＤＭＩ規格に準拠したデジタル伝送バス１８を介して供給されるデジタル映像信号は、ＨＤＭＩコネクタ１９で受信され、ＨＤＭＩ信号処理部２０に供給される。このＨＤＭＩ信号処理部２０は、詳細は後述するが、入力されたＨＤＭＩ規格に準拠したデジタル信号から、アナログの映像信号と音声信号とを復元して、セレクタ１５に出力している。
【００１４】
そして、セレクタ１５は、テレビジョン信号処理部１４から出力されるアナログの映像及び音声信号と、ＡＶ入力端子１６に供給されたアナログの映像及び音声信号と、ＨＤＭＩ信号処理部２０から出力されるアナログの映像及び音声信号とを、選択的に切り替えてＡＶ出力端子２１に導出する機能を有する。
【００１５】
このようにして、ＡＶ出力端子２１から出力されたアナログの映像及び音声信号は、映像音声再生装置２２に供給されて映像表示及び音声再生に供される。
【００１６】
ここで、この映像信号受信装置１１は、上記した各種の受信動作を含むその全ての動作を制御部２３によって統括的に制御されている。この制御部２３は、ＣＰＵ（Central Processing Unit）等を内蔵しており、操作部２４からの操作情報を受け、または、リモートコントローラ２５から送出された操作情報を受信部２６を介して受信し、その操作内容が反映されるように各部をそれぞれ制御している。
【００１７】
この場合、制御部２４は、メモリ部２７を利用している。すなわち、このメモリ部２７は、主として、制御部２４のＣＰＵが実行する制御プログラムを格納した読み出し専用メモリと、該ＣＰＵに作業エリアを提供する読み出し書き込みメモリと、各種の設定情報及び制御情報等が格納される不揮発性メモリとを含んでいる。
【００１８】
図２は、上記した映像信号受信装置１１の全体的な動作をまとめたフローチャートを示している。まず、開始（ステップＳ１）され、ステップＳ２で電源が投入されると、制御部２３は、ステップＳ３で、いずれの受信機能が選択されたかを判別する。
【００１９】
この場合、テレビジョン放送信号の受信が選択されると、制御部２３は、ステップＳ４で、テレビジョン信号処理部１４を制御するとともに、このテレビジョン信号処理部１４から出力されるアナログの映像及び音声信号を選択するようにセレクタ１５を制御して、処理を終了（ステップＳ５）する。
【００２０】
また、上記ステップＳ３でアナログの映像及び音声信号の受信が選択されると、制御部２３は、ステップＳ６で、ＡＶ入力端子１６に入力されたアナログの映像及び音声信号を選択するようにセレクタ１５を制御して、処理を終了（ステップＳ５）する。
【００２１】
さらに、上記ステップＳ３でＨＤＭＩ規格に準拠したデジタル映像信号の受信が選択されると、制御部２３は、ステップＳ７で、ＨＤＭＩ信号処理部２０を制御するとともに、このＨＤＭＩ信号処理部２０から出力されるアナログの映像及び音声信号を選択するようにセレクタ１５を制御して、処理を終了（ステップＳ５）する。
【００２２】
図３は、上記ＨＤＭＩ信号処理部２０の詳細を示している。すなわち、ＨＤＭＩ規格に準拠したデジタル伝送バス１８は、主として、ＴＭＤＳ、ＤＤＣ及びPowerと称される３種類のラインから構成される。
【００２３】
このうち、ＴＭＤＳは、前記外部機器１７から映像信号受信装置１１のＨＤＭＩコネクタ１９にＨＤＭＩ規格のデジタル映像信号を伝送するために使用される。ＤＤＣは、外部機器１７と映像信号受信装置１１との間で制御データを伝送するために使用される。
【００２４】
また、Powerは、前記外部機器１７から例えば５Ｖ程度の一定電圧をＨＤＭＩコネクタ１９に印加するために使用される。これは、映像信号受信装置１１が、ＨＤＭＩコネクタ１９のPowerのラインの電圧レベルを見ることにより、外部機器１７が接続されているか否かを判別するため、つまり、接続認識信号として使用される。
【００２５】
そして、ＨＤＭＩコネクタ１９を介して受信したＨＤＭＩ規格のデジタル信号は、ＨＤＭＩレシーバ２０ａに供給される。このＨＤＭＩレシーバ２０ａは、入力されたデジタル信号から映像成分と音声成分とを分離して、ＤＡ（Digital Analog）変換部２０ｂに出力している。
【００２６】
このＤＡ変換部２０ｂは、入力された映像成分に対してＭＰＥＧ（Moving Picture Experts Group）デコード処理を施し、アナログの映像信号に復元している。また、このＤＡ変換部２０ｂは、入力された音声成分に対してリニアＰＣＭ（Pulse Code Modulation）デコード処理を施し、アナログの音声信号に復元している。
【００２７】
そして、ＤＡ変換部２９ｂから出力されたアナログの映像及び音声信号は、出力回路２０ｃを介して前記セレクタ１５に供給される。
【００２８】
また、上記ＨＤＭＩレシーバ２０ａは、受信されたデジタル信号に、予め設定されたデータに対して変化が生じたことを検出した場合、検出信号をミュート制御部２０ｄに出力している。
【００２９】
ここで、上記したＨＤＭＩレシーバ２０ａの動作は、ＨＤＭＩ制御部２０ｅによって制御されている。このＨＤＭＩ制御部２０ｅは、例えばマイクロコンピュータ等を内蔵しており、前記制御部２３の制御に基づいてＨＤＭＩレシーバ２０ａの動作を制御している。
【００３０】
また、ＨＤＭＩ制御部２０ｅは、ＨＤＭＩコネクタ１９のPowerの電圧レベルを監視して、その電圧レベルに変化が生じたことにより、ＨＤＭＩコネクタ１９が抜き差しされたことを検出し、検出信号をミュート制御部２０ｄに出力している。
【００３１】
このミュート制御部２０ｄは、ＨＤＭＩレシーバ２０ａから検出信号が供給された状態で、または、ＨＤＭＩ制御部２０ｅから検出信号が供給された状態で、ＤＡ変換部２０ｂ及び出力回路２０ｃに対してミュート信号を出力する。
【００３２】
すると、ＤＡ変換部２０ｂ及び出力回路２０ｃでは、音声信号に対してミュート処理を施し、映像音声再生装置２２において、音声が再生されないように制御する。このため、音声受信中にＨＤＭＩコネクタ１９が抜き差しされたり、信号の受信状況が大きく変化したりすることにより、ボツ音等の不快音が発生することを防止することができる。
【００３３】
図４は、音声信号に対してミュート処理を施す動作をまとめたフローチャートを示している。まず、開始（ステップＳ８）されると、ステップＳ９で、ＨＤＭＩ制御部２０ｅがＨＤＭＩコネクタ１９のPowerの電圧レベルに変化が生じたか否かを判別する。
【００３４】
そして、電圧レベルに変化が生じたと判断された場合（ＹＥＳ）、ＨＤＭＩ制御部２０ｅが検出信号を発生するため、ステップＳ１０で、ミュート制御部２０ｄがＤＡ変換部２０ｂ及び出力回路２０ｃに対してミュート信号を出力して、処理を終了（ステップＳ１１）する。
【００３５】
また、ＨＤＭＩコネクタ１９のPowerの電圧レベルに変化が生じていないと判断された場合（ＮＯ）には、ステップＳ１２で、ＨＤＭＩレシーバ２０ａが、受信されたデジタル信号に、予め設定されたデータに対して変化が生じたか否かを判別する。なお、この受信信号の変化の判別は、例えば、ＨＤＭＩレシーバ２０ａ内のレジスタに、受信信号を低い誤り率で良好に設定できたか否かで判別することができる。
【００３６】
そして、受信信号に変化が生じたと判断された場合（ＹＥＳ）には、ＨＤＭＩレシーバ２０ａが検出信号を発生するため、ステップＳ１０で、ミュート制御部２０ｄがＤＡ変換部２０ｂ及び出力回路２０ｃに対してミュート信号を出力して、処理を終了（ステップＳ１１）する。
【００３７】
なお、ステップＳ１２で受信信号に変化が生じていないと判断された場合（ＮＯ）には、ＨＤＭＩレシーバ２０ａは、検出信号を発生せず、ミュート処理が行なわれることなく処理を終了（ステップＳ１１）する。
【００３８】
図５は、上記のようにして施されたミュート処理を解除する動作をまとめたフローチャートを示している。まず、音声のミュート状態で開始（ステップＳ１３）されると、ＨＤＭＩ制御部２０ｅは、ステップＳ１４で、ＨＤＭＩコネクタ１９のPowerの電圧レベルが規定値（５Ｖ）で安定しているか否かを判別し、安定していないと判断された場合（ＮＯ）、そのまま検出信号を発生し続け、ミュート状態を継続させて処理を終了（ステップＳ１５）する。
【００３９】
また、ステップＳ１４でＨＤＭＩコネクタ１９のPowerの電圧レベルが規定値（５Ｖ）で安定していると判断された場合（ＹＥＳ）、ＨＤＭＩ制御部２０ｅは、検出信号の発生を停止する。
【００４０】
その後、ＨＤＭＩレシーバ２０ａは、ステップＳ１６で、受信されたデジタル信号に、予め設定されたデータに対して変化が生じていないか否かを判別する。そして、受信されたデジタル信号に、予め設定されたデータに対して変化が生じていると判断された場合（ＮＯ）、ＨＤＭＩレシーバ２０ａは、そのまま検出信号を発生し続け、ミュート状態を継続させて処理を終了（ステップＳ１５）する。
【００４１】
また、ステップＳ１６で受信信号に大きな変化が生じていないと判断された場合（ＹＥＳ）、ＨＤＭＩレシーバ２０ａは、検出信号の発生を停止する。このため、ミュート制御部２０ｄは、ステップＳ１７で、ミュート信号の発生を停止し、処理を終了（ステップＳ１５）する。これにより、ＤＡ変換部２０ｂ及び出力回路２０ｃにおける音声信号に対するミュート処理が解除される。
【００４２】
上記した実施の形態によれば、ＨＤＭＩコネクタ１９のPowerの電圧レベルに変化が生じた場合、または、受信されたデジタル信号に予め設定されたデータに対して変化が生じた場合に、音声信号にミュート処理を施すようにしたので、音声受信時における不快音の発生を実用的なレベルで防止することが可能となる。
【００４３】
また、ＨＤＭＩコネクタ１９のPowerの電圧レベルが規定値に安定した場合と、受信されたデジタル信号にデータの変化が生じていない場合との、２つの条件が共に満たされた状態で、ミュート処理を解除するようにしたので、このような点でも、音声受信時における不快音の発生を実用的なレベルで防止することが可能となる。
【００４４】
さらに、ミュート制御部２０ｄは、ＤＡ変換部２０ｂ及び出力回路２０ｃにミュート信号を供給するようにしているので、ＤＡ変換部２０ｂからの音声出力と、出力回路２９ｃからの音声出力とを、それぞれ独立にミュート制御することができるので、動作の信頼性を向上させることができる。また、必要に応じては、ＤＡ変換部２０ｂと出力回路２０ｃとでミュートタイミングを変化させることも可能である。
【００４５】
なお、ＨＤＭＩコネクタ１９のPowerの電圧レベルの変化の検出は、ＨＤＭＩ制御部２０ｅで行なわなくても、例えば、ＨＤＭＩコネクタ１９のPower端子を直接ミュート制御部２０ｄに接続して、ミュート制御部２０ｄがPowerの電圧レベルの変化を検出するようにしても良いものである。
【００４６】
また、上記した実施の形態において、映像信号受信装置１１としては、映像音声再生装置２２を含めて、例えば、ＣＲＴ（Cathode Ray Tube）を用いたテレビジョン放送受信機、液晶画面を用いたテレビジョン放送受信機、投射型の映像表示装置等が考えられる。
【００４７】
さらに、この映像信号受信装置１１に、ＨＤＭＩ規格に準拠したデジタル映像信号を供給する外部機器１７としては、例えば、ＤＶＤ（Digital Versatile Disk）プレーヤ、Ｄ（Digital）−ＶＨＳ（Video Home System）レコーダ、セットトップボックス、デジタルビデオカメラ等が考えられる。
【００４８】
また、前記操作部２４またはリモートコントローラ２５に、音声ミュートを行なうか行なわないかを選択するためのスイッチを設置するようにすれば、ユーザにとっての使い勝手をより一層便利にすることが可能となる。
【００４９】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。
【図面の簡単な説明】
【００５０】
【図１】この発明の実施の形態を示すもので、映像信号受信装置を説明するために示すブロック構成図。
【図２】同映像信号受信装置における全体的な動作を説明するために示すフローチャート。
【図３】同映像信号受信装置におけるＨＤＭＩ信号処理部の詳細を説明するために示すブロック構成図。
【図４】同ＨＤＭＩ信号処理部におけるミュート処理を開始する動作を説明するために示すフローチャート。
【図５】同ＨＤＭＩ信号処理部におけるミュート処理を解除する動作を説明するために示すフローチャート。
【符号の説明】
【００５１】
１１…映像信号受信装置、１２…アンテナ、１３…ＴＶ入力端子、１４…テレビジョン信号処理部、１５…セレクタ、１６…ＡＶ入力端子、１７…外部機器、１８…デジタル伝送バス、１９…ＨＤＭＩコネクタ、２０…ＨＤＭＩ信号処理部、２１…ＡＶ出力端子、２２…映像音声再生装置、２３…制御部、２４…操作部、２５…リモートコントローラ、２６…受信部、２７…メモリ部。
【図１】
2005323182.tif 000003
【図２】
2005323182.tif 000004
【図３】
2005323182.tif 000005
【図４】
2005323182.tif 000006
【図５】
2005323182.tif 000007